(57)【要約】【課題】  既存構造物に損傷を与えることがなく、かつ、安定して配設される、橋脚の上縁拡幅構造を提供する。【解決手段】  上縁拡幅構造２は、橋脚１ｃの上に載る上部部分３が、橋脚１ｃにおける、橋１の長手方向の各端から張り出すように延設される。そして、この延設された部分によって、橋脚１ｃの上縁が拡幅される。また、上縁拡幅構造２は、前記上部部分３から、橋脚１ｃの各側面１ｄに沿って下方に延設される下部部分６を備えている。すなわち、これら下部部分６、６が、両側から橋脚１ｃを挟むように位置する。【選択図】  図２
2006144397.tif 000002
【特許請求の範囲】
【請求項１】
橋脚の上縁を、橋の長手方向に拡幅するための上縁拡幅構造であって、
前記橋脚の上に載り、その橋脚の上縁を拡幅すべく、その橋脚における前記長手方向の各端から張り出すように延設される上部部分と、
前記上部部分から、前記橋脚における前記長手方向の各側に位置する各側面に沿って下方に延設される下部部分とを、備えることを特徴とする、橋脚の上縁拡幅構造。
【請求項２】
前記上部部分は、前記橋脚の上に載置される第１上部部材と、その第１上部部材に接続されて、前記橋脚の前記各端から張り出す第２上部部材とを備え、
前記下部部分は、前記第２上部部材から下方に延びて、その下部部分と前記第２上部部材とが、一体化されて本体部を構成していることを特徴とする請求項１に記載の、橋脚の上縁拡幅構造。
【請求項３】
前記第１上部部材は、前記橋脚の前記各端から張り出す張出し部を有し、
前記第２上部部材は、前記張出し部の上に載せられることを特徴とする請求項２に記載の、橋脚の上縁拡幅構造。
【請求項４】
前記第２上部部材は、前記橋脚の上方部にて、前記第１上部部材の上に載る延出部を有することを特徴とする請求項２または３に記載の、橋脚の上縁拡幅構造。
【請求項５】
前記下部部分は、前記第２上部部材から下方に延びる複数の下部部材と、それら複数の下部部材を連結する連結片とを備えることを特徴とする請求項２ないし４のいずれか１項に記載の、橋脚の上縁拡幅構造。
【発明の詳細な説明】
【技術分野】
【０００１】
この発明は、橋脚の上縁を、橋の長手方向に拡幅するための、橋脚の上縁拡幅構造に関するものである。
【背景技術】
【０００２】
従来、既存橋梁の耐震補強対策のひとつに、桁かかり長の確保があった。一般的な桁かかり長確保の施工方法は、橋脚の上端部分の側面において、鉄筋アンカーを配備してコンクリートを打設する方法とか、鋼製のブラケットをアンカーで固定する方法等の、上縁拡幅工法であった。
【発明の開示】
【発明が解決しようとする課題】
【０００３】
しかし、前記従来の上縁拡幅工法によると、アンカーの設置のために、橋脚に孔を明ける必要があり、この削孔作業で、既存構造物の鉄筋に損傷を与える虞があった。
【０００４】
この発明は、上記した従来の欠点を解決するためになされたものであり、その目的とするところは、既存構造物に損傷を与えることがなく、かつ、安定して配設される、橋脚の上縁拡幅構造を提供することにある。
【課題を解決するための手段】
【０００５】
この発明に係る橋脚の上縁拡幅構造は、前記目的を達成するために、次の構成からなる。すなわち、
請求項１に記載の発明に係る橋脚の上縁拡幅構造は、橋脚の上縁を、橋の長手方向に拡幅するための上縁拡幅構造である。この上縁拡幅構造は、前記橋脚の上に載り、その橋脚の上縁を拡幅すべく、その橋脚における前記長手方向の各端から張り出すように延設される上部部分と、前記上部部分から、前記橋脚における前記長手方向の各側に位置する各側面に沿って下方に延設される下部部分とを、備える。
【０００６】
この上縁拡幅構造によると、橋脚の上に載る上部部分が、橋脚における、橋の長手方向の各端から張り出すように延設される。そして、この延設された部分によって、橋脚の上縁が拡幅される。また、上縁拡幅構造は、上部部分から、橋脚の各側面に沿って下方に延設される下部部分を備えている。こうして、これら下部部分が、両側から橋脚を挟むように位置することとなり、この上縁拡幅構造は、橋脚に対して安定する。
【０００７】
また、請求項２に記載の発明に係る橋脚の上縁拡幅構造のように、請求項１に記載の上縁拡幅構造において、前記上部部分は、前記橋脚の上に載置される第１上部部材と、その第１上部部材に接続されて、前記橋脚の前記各端から張り出す第２上部部材とを備え、前記下部部分は、前記第２上部部材から下方に延びて、その下部部分と前記第２上部部材とが、一体化されて本体部を構成していてもよい。つまり、この上縁拡幅構造は、橋脚の上に載置される第１上部部材と、第２上部部材および下部部分からなる本体部とに分けられている。したがって、この上縁拡幅構造の施工にあたっては、始めに、第１上部部材を、橋脚の上に載置する。そして、第１上部部材に、本体部の第２上部部材を接続することで、この本体部を第１上部部材に組み付ける。こうして、この上縁拡幅構造を橋脚に対して簡単に施工することができる。
【０００８】
また、請求項３に記載の発明に係る橋脚の上縁拡幅構造のように、請求項２に記載の上縁拡幅構造において、前記第１上部部材は、前記橋脚の前記各端から張り出す張出し部を有し、前記第２上部部材は、前記張出し部の上に載せられてもよい。こうして、第２上部部材が、橋脚の上に載置される第１上部部材に載せられることで、第１上部部材と、第２上部部材つまりは本体部との接続が容易となる。
【０００９】
また、請求項４に記載の発明に係る橋脚の上縁拡幅構造のように、請求項２または３に記載の上縁拡幅構造において、前記第２上部部材は、前記橋脚の上方部にて、前記第１上部部材の上に載る延出部を有してもよい。こうして、第２上部部材は、延出部によって、橋脚側まで延びることとなり、第１上部部材と第２上部部材とから構成される上部部分の強度が増加する。
【００１０】
また、請求項５に記載の発明に係る橋脚の上縁拡幅構造のように、請求項２ないし４のいずれか１項に記載の上縁拡幅構造において、前記下部部分は、前記第２上部部材から下方に延びる複数の下部部材と、それら複数の下部部材を連結する連結片とを備えてもよい。
【発明の効果】
【００１１】
この発明に係る橋脚の上縁拡幅構造によれば、橋脚の上に載る上部部分と、その上部部分から橋脚の各側面に沿って下方に延設される下部部分とを備えることで、これら下部部分が、両側から橋脚を挟むように位置することとなるため、この上縁拡幅構造は、既存構造物に損傷を与えることがなく、かつ、安定して配設される。
【発明を実施するための最良の形態】
【００１２】
以下、この発明に係る橋脚の上縁拡幅構造を実施するための最良の形態を図面に基づいて説明する。
【００１３】
図１ないし図５は、本発明に係る橋脚の上縁拡幅構造の一実施の形態を示す。図中符号１は、橋である。１ａ、１ｂおよび１ｃは、それぞれ、橋１を構成する、桁、橋台および橋脚である。２は、橋脚１ｃの上縁を、橋１の長手方向に拡幅するための上縁拡幅構造である。
【００１４】
ここで、上縁拡幅構造２は、上部部分３と下部部分６とを備えている。上部部分３は、橋脚１ｃの上に載り、その橋脚１ｃの上縁を拡幅すべく、その橋脚１ｃにおける、橋１の長手方向の各端から張り出すように延設される。そして、下部部分６は、前記上部部分３から、橋脚１ｃにおける、橋１の長手方向の各側に位置する各側面１ｄに沿って下方に延設されている。
【００１５】
具体的には、この上縁拡幅構造２は、板材、特に鋼板材によって形成されている。ここで、上部部分３は、橋脚１ｃの上に載置される第１上部部材４と、その第１上部部材４に接続されて、橋脚１ｃの各端から張り出す第２上部部材５、５とを備えている。そして、これら第１上部部材４と第２上部部材５、５とは、橋１の長手方向に位置調節されてボルト１０、１０（詳細には、ボルト１０およびナット１０ａ）により接続される。すなわち、第１上部部材４と第２上部部材５との、ボルト１０が貫通する孔（図示せず）のいずれか一方あるいは両方は、橋１の長手方向を長手とする長孔となっている。また、下部部分６は、第２上部部材５から下方に延びている。そこで、その下部部分６と第２上部部材５とが、一体化されて本体部７を構成している。すなわち、この上縁拡幅構造２の施工にあたっては、始めに、第１上部部材４を、橋脚１ｃと橋１の上部構造との間の隙間１１から挿入し、その第１上部部材４を、橋脚１ｃの上に載置する（図２参照）。そして、第１上部部材４の各端に、本体部７を組み付ける。なお、図２ないし図４において、１ｅは、橋脚１ｃの上面に設けられた台座である。１ｆは、台座１ｅ上に設置されたゴムシュー等の支承であり、この支承１ｆ上に桁１ａ（橋１の上部構造）が載せられる。
【００１６】
また、第１上部部材４は、橋脚１ｃの前記各端から張り出す張出し部４ａを有している。そして、第２上部部材５は、この張出し部４ａの上に載せられる。詳細には、第１上部部材４は、複数（図示実施の形態においては、２枚）が、支承１ｆを間に置くようにして互いに離れて設けられ、第２上部部材５は、複数の第１上部部材４、４における張出し部４ａ、４ａに渡るようにして、それら張出し部４ａ、４ａの上に載せられる（図３、図４参照）。また、第２上部部材５は、橋脚１ｃの上方部にて、第１上部部材４の上に載る延出部５ａを有している。
【００１７】
下部部分６は、第２上部部材５から下方に延びる複数（図示実施の形態においては、５枚）の下部部材６ａ、６ａと、それら複数の下部部材６ａ、６ａを連結する連結片６ｂ、６ｂとを備える。ここで、下部部材６ａ、６ａは、第１上部部材４、４における張出し部４ａ、４ａ間を通って下方に延びている。ここで、これら下部部材６ａ、６ａは、その板面が、橋１の幅方向を向き、その橋１の幅方向に並んでいる。そして、この下部部材６ａは、下方ほど幅狭となるように形成されている。連結片６ｂは、橋脚１ｃ側であって、その橋脚１ｃと対面するように設けられている。また、この連結片６ｂは、下部部分６、６の上部と下部との２ヶ所に設けられている。なお、第２上部部材５と下部部材６ａ、６ａ、そして、下部部材６ａ、６ａと連結片６ｂ、６ｂとは、例えば、溶接により接合される。
【００１８】
次に、以上の構成からなる橋脚１ｃの上縁拡幅構造２の作用効果について説明する。この上縁拡幅構造２によると、橋脚１ｃの上に載る上部部分３（図示実施の形態においては、第１上部部材４と第２上部部材５とで構成される。）が、橋脚１ｃにおける、橋１の長手方向の各端から張り出すように延設される。そして、この延設された部分によって、橋脚１ｃの上縁が拡幅される。そして、上縁拡幅構造２は、上部部分３から、橋脚１ｃの各側面１ｄに沿って下方に延設される下部部分６を備えている。こうして、これら下部部分６、６が、橋脚１ｃの側面１ｄ、１ｄに当接、あるいは近接し、両側から橋脚１ｃを挟むように位置することとなる。したがって、この上縁拡幅構造２は、既存構造物（橋１）に損傷を与えることがなく、しかも、橋脚１ｃに対して安定して配設される。すなわち、桁１ａが橋脚１ｃから外れて上部部分３（詳細には、第２上部部材５）に載った際には、橋脚１ｃの両側に位置するとともに上部部分３によって繋がった下部部分６、６が、橋脚１ｃの側面１ｄ、１ｄから反力を受けること等により、桁１ａの荷重を効果的に支えることができる。こうして、この上縁拡幅構造２により、桁かかり長が確保され、大地震の際の、橋脚１ｃからの、桁１ａつまりは橋１の上部構造の落下を防ぐことができる。
【００１９】
ここにおいて、第１上部部材４と第２上部部材５とが、橋１の長手方向に位置調整されることで、下部部分６、６が、橋脚１ｃを確実に挟むことができる。したがって、この上縁拡幅構造２は、橋脚１ｃに対して一層安定して配設される。さらに、第２上部部材５は、橋脚１ｃ側まで延びる延出部５ａを有している。したがって、第１上部部材４と第２上部部材５とから構成される上部部分３の強度が増加し、特に、上下方向のせん断荷重に対して有効である。
【００２０】
また、この上縁拡幅構造２は、橋脚１ｃの上に載置される第１上部部材４と、第２上部部材５および下部部分６からなる本体部７とに分けられている。したがって、この上縁拡幅構造２の施工にあたっては、始めに、第１上部部材４を、橋脚１ｃの上に載置する。そして、第１上部部材４に、本体部７における第２上部部材５を接続することで、この本体部７を第１上部部材４に組み付ける。こうして、この上縁拡幅構造２を橋脚１ｃに対して簡単に施工することができる。さらに、第２上部部材５が、橋脚１ｃの上に載置された第１上部部材４に載せられることで、第１上部部材４と、第２上部部材５つまりは本体部７との接続が容易となる。特に、図示実施の形態においては、第２上部部材５が、複数の第１上部部材４、４に渡るように載せられることで、第２上部部材５は、第１上部部材４に安定して載せられ、第１上部部材４と、第２上部部材５つまりは本体部７との接続が一層容易となる。その上、第１上部部材４と、第２上部部材５つまりは本体部７とが、ボルト１０によって接続されることで、この上縁拡幅構造２の施工が一層簡単となる。
【００２１】
なお、本発明は、上述した実施の形態に限定されるわけではなく、その他種々の変更が可能である。例えば、この上縁拡幅構造２は、鋼板材によって形成されているが、鋼以外の板材によって形成されてもよい。また、特に、上縁拡幅構造２における第１上部部材４等は、鋼板材以外に、例えばＦＲＰ製の板材からなっていてもよい。さらに、上縁拡幅構造２は、板材以外に形鋼等の形材、あるいは、コンクリート等その他の材料によって形成されてもよい。
【００２２】
また、第１上部部材４と第２上部部材５とは、ボルト１０により接続されるが、ボルト１０以外の接続具が用いられてもよく、また、ボルト１０による接続の後に、溶接されてもよい。また、第１上部部材４と第２上部部材５とは、ボルト１０によることなく始めから、溶接あるいは接着により接続されてもよく、その接続方法は、任意である。
【００２３】
また、橋１は、川に架けられる渡川橋に限定されるものではなく、海に架けられる渡海橋とか、陸橋、高架橋等を含むものである。
【図面の簡単な説明】
【００２４】
【図１】この発明の一実施の形態の、上縁拡幅構造を備える橋を示す正面図である。
【図２】同じく、上縁拡幅構造の正面図である。
【図３】同じく、上縁拡幅構造の平面図である。
【図４】同じく、上縁拡幅構造の側面図である。
【図５】同じく、上縁拡幅構造の分解正面図である。
【符号の説明】
【００２５】
１  橋
１ｃ  橋脚
１ｄ  側面
２  上縁拡幅構造
３  上部部分
４  第１上部部材
４ａ  張出し部
５  第２上部部材
５ａ  延出部
６  下部部分
７  本体部
【図１】
2006144397.tif 000003
【図２】
2006144397.tif 000004
【図３】
2006144397.tif 000005
【図４】
2006144397.tif 000006
【図５】
2006144397.tif 000007